(57)【要約】【課題】かしめ作業を要することなくドアに取り付けることができるエレベータのドア敷居溝清掃装置の提供。【解決手段】横開きドアを案内するドアシュー２１と、このドアシュー２１を保持するドアシュー取付け部１２が形成されたドアシュー取付けブラケット１１と、ドアシュー２１が摺動可能に収容されるドア敷居溝とを有するエレベータに備えられ、横開きドアの移動に伴ってドア敷居溝を清掃可能なドア敷居溝清掃装置１が、ドアシュー取付けブラケット１１のドアシュー取付け部１２が挿通可能で、このドアシュー取付け部１２と略同等の長さ寸法Ｌ、及び幅寸法Ｂを有する長穴３が形成され、清掃ブラシ４が取り付けられる取付け部材２を備えた構成にしてある。【選択図】図１
2008297116.tif 000002
【特許請求の範囲】
【請求項１】
横開きドアと、この横開きドアを案内するドアシューと、このドアシューを保持するドアシュー取付け部が形成され、上記横開きドアの下端に取り付けられるドアシュー取付けブラケットと、上記ドアシューが摺動可能に収容されるドア敷居溝とを有するエレベータに備えられ、
上記横開きドアの移動に伴って上記ドア敷居溝を清掃可能な清掃ブラシを有するエレベータのドア敷居溝清掃装置において、
上記ドアシュー取付けブラケットの上記ドアシュー取付け部が挿通可能で、このドアシュー取付け部と略同等の長さ寸法及び幅寸法を有する長穴が形成され、上記清掃ブラシが取り付けられる取付け部材を備えたことを特徴とするエレベータのドア敷居溝清掃装置。
【請求項２】
上記請求項１記載の発明において、
上記取付け部材に対する上記清掃ブラシの取付け中心と、上記取付け部材の上記長穴の長手方向に沿う仮想的な中心線とを一致させたことを特徴とするエレベータのドア敷居溝清掃装置。
【請求項３】
上記請求項１記載の発明において、
上記取付け部材の端部に、上記清掃ブラシが取り付けられる取付け片を有し、
この取付け片、及びこの取付け片に取り付けられる上記清掃ブラシを、上記ドアシュー取付けブラケットと、上記ドアシュー取付けブラケットの上記ドアシュー取付け部に取り付けられたドアシューとの間に形成される間隙に配置したことを特徴とするエレベータのドア敷居溝清掃装置。
【発明の詳細な説明】
【技術分野】
【０００１】
本発明は、横開きドアを案内するドアシューが摺動可能に収容されるドア敷居溝を清掃可能な清掃ブラシを有するエレベータのドア敷居溝清掃装置に関する。
【背景技術】
【０００２】
この種の従来技術として、特許文献１に示される第１の従来技術が知られている。この第１の従来技術は、本願出願人が提案したものであり、横開きドアと、この横開きドアを案内する案内片、すなわち金属製のブラケットとゴムとが一体形成されて成るドアシューと、このドアシューが摺動可能に収容されるドア敷居溝とを有するエレベータに備えられるドア敷居溝清掃装置である。この第１の従来技術は、ドアシューの金属製のブラケットの部分に、ドア敷居溝を清掃可能な清掃ブラシが取り付けられる結合部材、すなわち取付け部材の一部を折り曲げてかしめることによって固定した構成になっている。
【０００３】
ところが近年、ドアシューの構造として、ドアシューが摩耗した際には、そのドアシューに含まれるゴムのみを交換できるようにした構造が開発されてきている。このような構造の場合には、上述した第１の従来技術は適用することができないのが実状である。そこでこのような構造に適用可能なドア敷居溝清掃装置として、本願出願人は、特許文献２に示される第２の従来技術を提案した。この第２の従来技術は、ドアシューが取り付けられるドアシュー取付けブラケットに固定されるものであり、ドアシュー取付けブラケットの上方部分に折り曲げてかしめ固定される部分と、ドア開閉方向に位置するドアシュー取付けブラケットの片端側に折り曲げてかしめ固定される部分とを有する取付け部材を備えるとともに、この取付け部材の端部に清掃ブラシを取り付けるブラシ取付け片を形成した構成になっている。
【特許文献１】実開平３−９５３６９号公報
【特許文献２】特開２０００−１５９４６３公報
【発明の開示】
【発明が解決しようとする課題】
【０００４】
上述した第１の従来技術、第２の従来技術ともに、ドア敷居溝清掃装置の取り付けに際して、清掃ブラシを保持する取付け部材の一部を折り曲げてかしめる作業を要し、この取付け作業に時間がかかる問題がある。
【０００５】
また、取付け部材を折り曲げてかしめる際に加えられる力によって、この取付け部材の取付け位置にずれを生じ、この取付け部材に保持される清掃ブラシのドア敷居溝に対する位置決め精度が低下しやすい問題もある。
【０００６】
なお、ゴムのみを交換可能なドアシューを有するエレベータに適用可能な上述の第２の従来技術にあっては、ドアの開閉に伴って取付け部材の端部に形成されるブラシ取付け片に力を受け、このブラシ取付け片に曲げ変形を生じやすく、これによって清掃機能が低下する懸念がある。
【０００７】
また、この第２の従来技術にあっては、ドアの開閉方向に対しては、ドアシュー取付けブラケットの片端側のみにかしめ固定される部分を設けてあることから、ドアの開閉に伴ってドアシュー取付けブラケットからドア敷居溝清掃装置に含まれる取付け部材が外れやすく、これによっても清掃機能が低下する懸念がある。
【０００８】
本発明は、上述した従来技術における実状からなされたもので、その目的は、かしめ作業を要することなくドアに取り付けることができるエレベータのドア敷居溝清掃装置を提供することにある。
【課題を解決するための手段】
【０００９】
上記目的を達成するために、本発明は、横開きドアと、この横開きドアを案内するドアシューと、このドアシューを保持するドアシュー取付け部が形成され、上記横開きドアの下端に取り付けられるドアシュー取付けブラケットと、上記ドアシューが摺動可能に収容されるドア敷居溝とを有するエレベータに備えられ、上記横開きドアの移動に伴って上記ドア敷居溝を清掃可能な清掃ブラシを有するエレベータのドア敷居溝清掃装置において、上記ドアシュー取付けブラケットの上記ドアシュー取付け部が挿通可能で、このドアシュー取付け部と略同等の長さ寸法及び幅寸法を有する長穴が形成され、上記清掃ブラシが取り付けられる取付け部材を備えたことを特徴としている。
【００１０】
このように構成した本発明は、取付け部材の長穴にドアシュー取付けブラケットのドアシュー取付け部が挿通された状態で、ドアシュー取付けブラケットにドアシューを取り付けることにより、ドアシュー取付けブラケットと、このドアシュー取付けブラケットのドアシュー取付け部に取り付けられたドアシューとによって、取付け部材を挟持するように固定することができる。すなわち、かしめ作業を要することなくドアに取り付けることができる。また、ドアシュー取付けブラケットのドアシュー取付け部と取付け部材の長穴との係合により、位置ずれを生じることなく確実に取り付けることができる。さらに、ドアの開閉動作の間、外れることなく堅固に取り付けることができる。
【００１１】
また本発明は、上記発明において、上記取付け部材に対する上記清掃ブラシの取付け中心と、上記取付け部材の上記長穴の長手方向に沿う仮想的な中心線とを一致させたことを特徴としている。このように構成した本発明は、清掃ブラシをドア敷居溝内に正しく配置させることができる。
【００１２】
また本発明は、上記発明において、上記取付け部材の端部に、上記清掃ブラシが取り付けられる取付け片を有し、この取付け片、及びこの取付け片に取り付けられる上記清掃ブラシを、上記ドアシュー取付けブラケットと、上記ドアシュー取付けブラケットの上記ドアシュー取付け部に取り付けられたドアシューとの間に形成される間隙に配置したことを特徴としている。
【００１３】
このように構成した本発明は、取付け片と清掃ブラシとが、間隙を形成するドアシュー取付けブラケットとドアシューとによってドアの開閉方向の動きを規制されるので、ドアの開閉に伴って清掃ブラシ及び取付け片に力が加えられても、取付け片の曲げ変形を抑えることができる。
【発明の効果】
【００１４】
本発明は、ドアシュー取付けブラケットのドアシュー取付け部が挿通可能で、このドアシュー取付け部と略同等の長さ寸法及び幅寸法を有する長穴が形成され、清掃ブラシが取り付けられる取付け部材を備えたことから、かしめ作業を要することなくドアに取り付けることができ、従来に比べて取付け作業能率を向上させることができる。また、ドアシュー取付けブラケットのドアシュー取付け部と取付け部材の長穴との係合により、位置ずれを生じることなく確実に取り付けることができ、優れた清掃機能を確保できる。さらに、ドアの開閉動作の間、外れることなく堅固に取り付けることができ、安定した取付け形態を実現できる。
【発明を実施するための最良の形態】
【００１５】
以下，本発明に係るエレベータのドア敷居溝清掃装置を実施するための最良の形態を図に基づいて説明する。
【００１６】
図１は本発明に係るエレベータのドア敷居溝清掃装置の一実施形態を示す斜視図、図２は本実施形態をドアシュー取付けブラケットに取り付けた状態を示す側面図である。図３は図２のＡ−Ａ断面に相応する図、図４は図２のＢ−Ｂ断面に相応する図である。図５は図３に示す状態から本実施形態のみを取り出して描いた拡大図、図６は図４に示す状態から本実施形態のみを取り出して描いた拡大図である。図７は横開きドアの下端に取り付けられるドアシュー取付けブラケットを示す斜視図である。
【００１７】
本実施形態に係るドア敷居溝清掃装置１が適用されるエレベータは、図示しない横開きドアと、図２に示すように、図示しない横開きドアを案内するドアシュー２１と、図７に示すように、ドアシュー２１を保持するドアシュー取付け部１２が形成され、図示しない横開きドアの下端に取り付けられるドアシュー取付けブラケット１１と、上述したドアシュー２１が摺動可能に収容される図示しないドア敷居溝とを有している。すなわち、ドアシュー２１はドアシュー取付けブラケット１１に対して着脱可能に形成されており、摩耗した際には新しいドアシューに交換可能になっている。
【００１８】
本実施形態に係るドア敷居溝清掃装置１は、図１等に示すように、図示しない横開きドアに取り付けられる取付け部材２と、この取付け部材２に保持され、図示しない横開きドアの摺動に伴って図示しないドア敷居溝を清掃可能な清掃ブラシ４とを備えている。
【００１９】
上述の取付け部材２は、図１に示すように、ドアシュー取付けブラケット１１のドアシュー取付け部１２が挿通可能で、このドアシュー取付け部１２と略同等の長さ寸法Ｌと略同等の幅寸法Ｂを有する長穴３が形成されている。この長穴３は、取付け部材２の幅方向の中央位置に形成してある。また、この取付け部材２は、一方の端部に折り曲げ形成されて成る取付け片５を有し、この取付け片５に清掃ブラシ４が取り付けられている。図５に示す取付け部材２の取付け片５に対する清掃ブラシ４の取付け中心６と、図６に示す取付け部材２の長穴３の長手方向に沿う仮想的な中心線３とを一致させるように、清掃ブラシ４を取付け部材２の取付け片５に取り付けてある。
【００２０】
図示しないドア敷居溝の清掃に際しては、図２に示すように、本実施形態に係るドア敷居溝清掃装置１の取付け部材１１の長穴３にドアシュー取付けブラケット１１のドアシュー取付け部１２が挿通された状態で、ドアシュー取付けブラケット１１にドアシュー２１を取り付けることにより、ドアシュー取付けブラケット１１と、このドアシュー取付けブラケット１１のドアシユー取付け部１２に取り付けられたドアシュー２１とによって、取付け部材２を挟持するように固定することができる。この際、取付け部材２の取付け片５、及び取付け片５に取り付けられる清掃ブラシ４は、図７に示すドアシュー取付けブラケット１１と、ドアシュー取付けブラケット１１のドアシュー取付け部１２に取り付けられたドアシュー２１との間に形成される間隙１３に配置されるようになっている。
【００２１】
このようにドア敷居溝清掃装置１を図示しない横開きドアに取り付けた状態で、横開きドアを開閉動作させると、この横開きドアの開閉に伴ってドア敷居溝清掃装置１の清掃ブラシ４が図示しないドア敷居溝内を移動し、このドア敷居溝内の清掃を行うことができる。
【００２２】
このように構成した本実施形態にあっては、上述した図２に示すように、取付け部材２の長穴３にドアシュー取付けブラケット１１のドアシュー取付け部１２を挿通させた状態で取付け部材２をドアシュー取付けブラケット１１とドアシュー２１とで挟持固定することにより、かしめ作業を要することなく図示しない横開きドアに取り付けることができる。したがって、図示しない横開きドアへの取り付けが簡単で、この取付け作業の能率を向上させることができる。
【００２３】
また、ドアシュー取付けブラケット１１のドアシュー取付け部１２と、取付け部材２の長穴３との係合により、位置ずれを生じることなく確実に取り付けることができ、優れた清掃機能を確保できる。
【００２４】
さらに、上述したドアシュー取付けブラケット１１のドアシュー取付け部１２と、取付け部材２の長穴３との係合により、図示しない横開きドアの開閉動作の間、このドア敷居溝清掃装置１がドアから外れることなく堅固に取り付けることができ、安定した取付け形態を実現できる。
【００２５】
また、図５，６に示すように、本実施形態に係るドア敷居溝清掃装置１の取付け部材２の取付け片５に対する清掃ブラシ４の取付け中心６と、取付け部材２の長穴３の長手方向に沿う仮想的な中心線７とを一致させたことから、清掃ブラシ４を図示しないドア敷居溝内に正しく配置させることができ、これによっても優れた清掃機能を確保できる。また、清掃ブラシ４を保持する取付け部材２の取付け片５が図示しないドア敷居溝の側壁等に接触することによる当該ドア敷居溝の側壁等の損傷、及びこのような接触に伴う異音の発生を防ぐことができる。
【００２６】
また、清掃ブラシ４による清掃時の図示しない横開きドアの開閉動作に際して、図２に示すように、取付け部材２の取付け片５と清掃ブラシ４とが、間隙１３を形成するドアシュー取付けブラケット１１とドアシュー２１とによってドアの開閉方向の動きを規制されるので、ドアの開閉に伴って清掃ブラシ４及び取付け片５に力が加えられても、取付け片５の曲げ変形を抑えることができる。これによっても優れた清掃機能を確保できる。
【図面の簡単な説明】
【００２７】
【図１】本発明に係るエレベータのドア敷居溝清掃装置の一実施形態を示す斜視図である。
【図２】本実施形態をドアシュー取付けブラケットに取り付けた状態を示す側面図である。
【図３】図２のＡ−Ａ断面に相応する図である。
【図４】図２のＢ−Ｂ断面に相応する図である。
【図５】図３に示す状態から本実施形態のみを取り出して描いた拡大図である。
【図６】図４に示す状態から本実施形態のみを取り出して描いた拡大図である。
【図７】横開きドアの下端に取り付けられるドアシュー取付けブラケットを示す斜視図である。
【符号の説明】
【００２８】
１    ドア敷居溝清掃装置
２    取付け部材
３    長穴
４    清掃ブラシ
５    取付け片
６    取付け中心
７    中心線
１１  ドアシュー取付けブラケット
１２  ドアシュー取付け部
１３  隙間
２１  ドアシュー
【図１】
2008297116.tif 000003
【図２】
2008297116.tif 000004
【図３】
2008297116.tif 000005
【図４】
2008297116.tif 000006
【図５】
2008297116.tif 000007
【図６】
2008297116.tif 000008
【図７】
2008297116.tif 000009